(57)【要約】【課題】内部の温度が所定の温度以上になると開口部を開いて外気を導入して冷却効果を高めるようにしていたため、温度が所定の温度以上の場合は、装置内部から発生する騒音が、その開口部を通して外部に漏れてしまう。【解決手段】本発明の電子機器は、空気を取り込み可能な第１の開口を有する第１の領域部と、第１の領域部に取り込まれた空気を取り込み可能な第２の開口を有する第２の領域部と、第２の領域部に配置される熱源とを有し、第１及び第２の開口のいずれか一方を開放し、他方を閉じるように制御する。【選択図】  図９
2018037985.tif 000002
【特許請求の範囲】
【請求項１】
空気を取り込み可能な第１の開口を有する第１の領域部と、
前記第１の開口を開閉可能な第１開閉手段と、
前記第１の領域部に取り込まれた空気を取り込み可能な第２の開口を有する第２の領域部と、
前記第２の開口を開閉可能な第２開閉手段と、
前記第２の領域部に配置される熱源と、
前記第１及び第２の開口のいずれか一方を開放し、他方を閉じるように前記第１開閉手段と前記第２開閉手段とを制御する制御手段と、
を有することを特徴とする電子機器。
【請求項２】
前記制御手段は、前記熱源が駆動されている場合に、前記第１及び第２の開口のいずれか一方を開放し、他方を閉じるように前記第１開閉手段と前記第２開閉手段とを制御することを特徴とする請求項１に記載の電子機器。
【請求項３】
前記第１の領域部に第１の駆動手段をさらに設け、
前記第２の領域部に設けられた前記熱源は第２の駆動手段であって、
前記制御手段は、前記第１の駆動手段が停止して前記第２の駆動手段が駆動されている場合に、前記第１の開口を開放し、前記第２の開口を閉じるように前記第１開閉手段と前記第２開閉手段とを制御することを特徴とする請求項１又は２に記載の電子機器。
【請求項４】
前記制御手段は、前記第２の駆動手段が停止して前記第１の駆動手段が駆動されている場合は、前記第１の開口を閉じ、前記第２の開口を開放するように前記第１開閉手段と前記第２開閉手段とを制御することを特徴とする請求項３に記載の電子機器。
【請求項５】
前記制御手段は、前記第１の駆動手段と前記第２の駆動手段とが駆動されている場合、前記第１の開口を閉じ、前記第２の開口を開放するように前記第１開閉手段と前記第２開閉手段とを制御することを特徴とする請求項３に記載の電子機器。
【請求項６】
前記第１の開口から空気を取り込む第１の送風手段と、
前記第２の開口から空気を取り込む第２の送風手段と、をさらに備え、
前記制御手段は、前記第１の開口を開放している場合、前記第１の送風手段を駆動するように制御することを特徴とする請求項３乃至５のいずれか１項に記載の電子機器。
【請求項７】
前記制御手段は、前記第２の駆動手段が停止し、前記第１の駆動手段が駆動されている場合は、前記第２の送風手段を駆動するように制御することを特徴とする請求項６に記載の電子機器。
【請求項８】
請求項３乃至７のいずれか１項に記載の電子機器を備え、
積載部に積載された原稿を給送する給送手段と、
前記給送手段から給送される原稿を、画像を読取る読取部へ搬送する搬送手段をさらに備え、
前記第１の駆動手段は、前記給送手段を駆動し、
前記第２の駆動手段は、前記搬送手段を駆動することを特徴とする原稿給紙装置。
【請求項９】
空気を取り込み可能な第１の開口を有する第１の領域部と、前記第１の開口を開閉可能な第１開閉手段と、前記第１の領域部に取り込まれた空気を取り込み可能な第２の開口を有する第２の領域部と、前記第２の開口を開閉可能な第２開閉手段と、前記第２の領域部に配置される熱源を有する電子機器の放熱を制御する制御方法であって、
前記第１及び第２の開口のいずれか一方を開放し、他方を閉じるように前記第１開閉手段と前記第２開閉手段とを制御することを特徴とする制御方法。
【発明の詳細な説明】
【技術分野】
【０００１】
本発明は、電子機器、原稿給紙装置及び電子機器の放熱を制御する制御方法に関する。
【背景技術】
【０００２】
従来より、自動原稿給紙装置（オートドキュメントフィーダ、以下、ＡＤＦ）での原稿読取り時に起こるモータの騒音と、そのモータから発生する熱が課題となっている。騒音対策は、防音効果のあるカバーでモータを覆うことで、モータから発生する騒音を低減できるが、この場合、モータから発生する熱が問題となる。熱対策は、前述のカバーに窓を取り付け、かつ装置内部を換気することでモータを冷却することができるが、今度は、モータから発生する騒音が問題となってしまう。例えば特許文献１には、冷却装置内部から発生する騒音を低減する構成が記載されている。
【先行技術文献】
【特許文献】
【０００３】
【特許文献１】特開２０１０−２６３８１号公報
【発明の概要】
【発明が解決しようとする課題】
【０００４】
上記特許文献１に記載の発明では、温度センサにより検知された温度が所定の温度未満のときは冷却ファンを正転駆動して開口部を閉じた状態にして、風が電源ユニットの内部を循環して装置内部から発生する騒音が外部に漏れないようにしている。そして、検知された温度が所定の温度以上になると冷却ファンを逆転駆動し、開口部を開いて外気を導入して冷却効果を高めるようにしている。従って、温度が所定の温度以上の場合は、開口部が開いているため、装置内部から発生する騒音が、その開口部を通して外部に漏れてしまう。
【０００５】
本発明の目的は、上記従来技術の課題を解決することにある。
【０００６】
本発明の目的は、機器内部から発生する騒音が機器の外部に漏れるのを低減でき、かつ機器内部の熱源を冷却する技術を提供することにある。
【課題を解決するための手段】
【０００７】
上記目的を達成するために本発明の一態様に係る電子機器は以下のような構成を備える。即ち、
空気を取り込み可能な第１の開口を有する第１の領域部と、
前記第１の開口を開閉可能な第１開閉手段と、
前記第１の領域部に取り込まれた空気を取り込み可能な第２の開口を有する第２の領域部と、
前記第２の開口を開閉可能な第２開閉手段と、
前記第２の領域部に配置される熱源と、
前記第１及び第２の開口のいずれか一方を開放し、他方を閉じるように前記第１開閉手段と前記第２開閉手段とを制御する制御手段と、を有することを特徴とする。
【発明の効果】
【０００８】
本発明によれば、機器内部から発生する騒音が機器の外部に漏れるのを低減しながら、機器内部の熱源を冷却できるという効果がある。
【図面の簡単な説明】
【０００９】
【図１】実施形態に係る原稿給紙装置（ＡＤＦ）のハードウェア構成を説明するブロック図。
【図２】実施形態に係る原稿給紙装置の筐体の一部の構造を説明する断面図で、原稿給紙装置が原稿の読み取り動作を開始する前の状態を示す図（Ａ）と、原稿給紙装置が原稿を読み取るために原稿の給紙を開始した状態を示す図（Ｂ）。
【図３】実施形態に係る原稿給紙装置の筐体の一部の構造を説明する断面図で、原稿給紙装置が原稿を読み取るために原稿を給紙して、その原稿を読み取り位置まで搬送するときの状態を示す図（Ａ）と、原稿給紙装置が原稿の読み取りを開始したときの状態を示す図（Ｂ）。
【図４】実施形態に係る原稿給紙装置の筐体の一部の構造を説明する断面図で、原稿給紙装置が原稿の両面を読み取るために原稿を反転させて読み取るときの状態を示す図（Ａ）と、原稿給紙装置が原稿の両面を読み取るために原稿を反転させ、その反転された原稿が読取位置に到達して読み取りが行われるときの状態を示す図（Ｂ）。
【図５】実施形態に係る原稿給紙装置の筐体の一部の構造を説明する断面図で、原稿給紙装置が原稿の両面の読み取りを終了して、その原稿の排紙を開始したときの状態を示す図（Ａ）と、原稿給紙装置が原稿の両面の読み取りを終了して、その原稿の排紙を終了したときの状態を示す図（Ｂ）。
【図６】実施形態に係る原稿給紙装置の筐体の一部の構造を説明する断面図で、原稿給紙装置が原稿の読み取り動作を終了したときの状態を示す図。
【図７】実施形態に係る原稿給紙装置が原稿の両面読み取りを行うときのモータ、ファン、開閉部の動作を説明するタイミング図。
【図８】実施形態に係る原稿給紙装置が原稿の片面読み取りを行うときのモータ、ファン、開閉部の動作を説明するタイミング図。
【図９】実施形態に係る原稿給紙装置による原稿の読み取り処理を説明するフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１１】
図１は、実施形態に係る原稿給紙装置（ＡＤＦ）のハードウェア構成を説明するブロック図である。本実施形態では、電子機器の一例として原稿給紙装置を例に説明するが、本発明は、このような原稿給紙装置以外にも、例えばＰＣ、通信装置、複写機、プリンタなどにも適用できる。
【００１２】
給紙排紙反転モータ１０１は、用紙（原稿）の給紙、排紙、及び反転動作を行うためのモータ（駆動源）である。読取モータ１０２は、原稿の読取時に、原稿を搬送するためのモータ（駆動源）である。換気ファン用モータ１０３は、装置内部に外気を取り込むための換気ファン２１５（図２）を駆動するモータである。冷却ファン用モータ１０４は、装置内部の空気を循環させる冷却ファン２１４（図２）を駆動するモータである。原稿有無センサ１０５は、トレイ上の原稿の有無を検知するセンサである。ＡＤＦコントローラ１０６は、原稿の読取動作を制御する。第１開閉部用ソレノイド１０７は、装置内部に外気を取り込むための第１開閉部２１０（図２）の開閉動作を行うのに使用される。第２開閉部用ソレノイド１０８は、装置内部の第２開閉部２１１（図２）の開閉動作を行うのに使用される。メインコントローラ１０９は、装置全体の動作を制御する制御部で、ＣＰＵ１１０、ＲＡＭ１１１、及びＣＰＵ１１０により実行されるプログラムなどを記憶するＲＯＭ１１２を備えている。
【００１３】
まず最初に、実施形態に係る原稿給紙装置における原稿の搬送について説明する。
【００１４】
ＡＤＦのトレイにある原稿有無検知センサ１０５により、トレイに原稿がセットされているか否か検知する。原稿がセットされている状態で、ユーザが原稿のスキャン動作、或いはコピー動作を指示するために開始ボタンを押すと、ＡＤＦ読取動作の開始信号がメインコントローラ１０９からＡＤＦコントローラ１０６に送られて、読取動作が開始される。
【００１５】
このとき、まず最初に給紙排紙反転モータ１０１が駆動されて原稿の給紙動作が開始され、次に読取モータ１０２が駆動されて、その原稿を読み取り位置まで搬送する。次に給紙排紙反転モータ１０１の駆動が停止されて原稿の読取動作が開始される。
【００１６】
そして、その原稿の読み取りが終了すると、２つのモータ１０１，１０２を駆動して排紙位置まで原稿を搬送し、原稿が排紙位置に到達すると読取モータ１０２の回転を停止し、給紙排紙反転モータ１０１の駆動のみで原稿の排紙動作を行う。この時、原稿有無検知センサ１０５がトレイ上の次の原稿を検知していれば、先行する原稿の排紙動作とともに、次の原稿の給紙動作も行う。
【００１７】
また、両面読み取りモードが指定されているときは、原稿の表面（第１の面）の読み取りが完了すると、その原稿を給紙排紙反転モータ１０１を駆動して搬送して原稿を反転させ、その原稿の裏面（第２の面）の読取動作を開始する。こうして裏面の読み取りが終わると、その原稿を排紙する。
【００１８】
図２乃至図６は、実施形態に係る原稿給紙装置の筐体の一部の構造を説明する断面図である。これら断面図では、主に装置内における熱及び騒音の流れを示している。尚、これら図２乃至図６において、前述の図１と共通する部分は同じ参照番号で示している。
【００１９】
第１開閉部２１０は、外気と接する筐体の壁部に設けられ、装置内部に外気を取り込むために開口部を開口した状態と、その開口部を閉じた状態とを取り得る。第２開閉部２１１は、装置内部で領域２１２と領域２１３とを隔離している隣接する領域間の壁部に設けられ、隣接している領域２１２，２１３間で空気を流通させるように開口部を開口した状態と、その開口部を閉じた状態とを取り得る。ここで領域２１２は給紙排紙反転モータ１０１を収容し、領域２１３は読取モータ１０２を収容している。冷却ファン２１４は、冷却ファン用モータ１０４により駆動され、領域２１３内の空気を循環させて熱源からの熱を放熱させる。換気ファン２１５は換気ファン用モータ１０３により駆動され、第１開閉部２１０を介して外気を取り入れる。
【００２０】
尚、これら図２乃至図６では、筐体内で分割された２つの領域がある場合で説明するが、少なくとも２つ（複数）の領域があればよく、その数は限定されない。またここでは各領域内に熱源及び騒音源であるモータが配置されているが、これら熱源及び／或いは騒音源を含まない領域があっても良い。
【００２１】
図２（Ａ）は、実施形態に係る原稿給紙装置が原稿の読み取り動作を開始する前の状態（動作が停止した状態）を示し、この状態では、第１開閉部２１０と第２開閉部２１１が共に開けられた状態である。図中、２２０は、第１開閉部２１０を通して流入した外気流（冷風）を示している。この外気流２２０は、第２開閉部２１１を通過し領域２１３を循環して、第１開閉部２１０を通って外に放出される。この状態では、給紙排紙反転モータ１０１と読取モータ１０２は共に回転駆動されていないため、第１開閉部２１０と第２開閉部２１１とが空けられた状態でも外部に騒音が漏れて問題になることはない。またこれらモータは、この状態では熱を発生しないため、外気流２２０は冷たいまま装置内部を循環して第１開閉部２１０から外に放出される。
【００２２】
図２（Ｂ）は、実施形態に係る原稿給紙装置が原稿を読み取るために原稿の給紙を開始した状態を示している。
【００２３】
このとき、原稿を給紙するために給紙排紙反転モータ１０１が回転駆動されるため、給紙排紙反転モータ１０１から熱及び騒音が発生する。よって、この状態では、第１開閉部２１０を閉じて換気ファンモータ１０３を停止して換気ファン２１５を停止させる。そして第２開閉部２１１は開けられたままにして、冷却ファンモータ１０４により冷却ファン２１４を駆動する。これにより、領域２１２の内部温度が上昇し、温度が上昇した気流２２２は第２開閉部２１１を通して領域２１３に入り、冷却ファン２１４により循環されて、少し冷えた気流２２１となり第２開閉部２１１を通って領域２１２に戻される。
【００２４】
このように給紙排紙反転モータ１０１が回転駆動されるときは第１開閉部２１０を閉じることにより、給紙排紙反転モータ１０１により発生する騒音が外部に漏れるのを防止できる。また給紙排紙反転モータ１０１より発生した熱は、第２開閉部２１１を通して領域２１３で冷却されるため、領域２１２内の温度上昇を少なくできる。
【００２５】
図３（Ａ）は、実施形態に係る原稿給紙装置が原稿を読み取るために原稿を給紙して、その原稿を読み取り位置まで搬送するときの状態を示している。
【００２６】
このとき、給紙排紙反転モータ１０１と読取モータ１０２が共に回転駆動されるため、冷却ファン２１４を駆動し、第１開閉部２１０を閉じて換気ファン２１５は停止したままである。このとき第２開閉部２１１は開けられたままであるため、領域２１２で温度が上昇した気流２２２は、第２開閉部２１１を通して領域２１３に入り、冷却ファン２１４により循環されて第２開閉部２１１を通って気流２２１となって領域２１２に戻される。
【００２７】
このように給紙排紙反転モータ１０１と読取モータ１０２が共に回転駆動されるときは第１開閉部２１０を閉じることにより、モータにより発生する騒音が外部に漏れるのを防止できる。また、これらモータ１０１，１０２より発生した熱は、第２開閉部２１１を通して領域２１２，２１３を循環して冷却されるため、領域２１２，２１３内の温度上昇を少なく抑えることができる。
【００２８】
図３（Ｂ）は、実施形態に係る原稿給紙装置が原稿の読み取りを開始したときの状態を示している。
【００２９】
このときは、原稿を読み取り位置まで搬送する処理が完了しているため、給紙排紙反転モータ１０１の回転は停止され、読取モータ１０２だけが回転駆動される。よって、第１開閉部２１０を開放して、第２開閉部２１１は閉じた状態にする。また冷却ファン２１４と換気ファン２１５はともに駆動されるため、第１開閉部２１０を通って流入した冷たい外気流２２０は、領域２１２を循環して、第１開閉部２１０を通って、気流２２１として外に放出されることにより領域２１２内が冷却される。一方、領域２１３内では、冷却ファン２１４により気流２２２が領域２１３内を循環して読み取りモータ１０２の温度上昇を抑える。
【００３０】
このように読取モータ１０２だけが回転駆動されるときは第２開閉部２１１を閉じて第１開閉部２１０を開けることにより、読取モータ１０２により発生する騒音が外部に漏れるのを防止できる。また、読取モータ１０１より発生する熱は、領域２１３を循環する気流２２２となるため、読取モータ１０１の温度上昇を、できるだけ少なく抑えることができる。一方、領域２１２は、外部よりの冷たい外気流２２０により冷却されるため、給紙排紙反転モータ１０１は急速に冷却される。
【００３１】
図４（Ａ）は、実施形態に係る原稿給紙装置が原稿の両面を読み取るために原稿を反転させて読み取るときの状態を示している。
【００３２】
このとき、給紙排紙反転モータ１０１と読取モータ１０２が共に回転駆動されるため、冷却ファン２１４を駆動し、第１開閉部２１０を閉じて換気ファン２１５は停止したままである。このとき第２開閉部２１１は開けられたままであるため、領域２１２で温度が上昇した気流２２１は領域２１３内で循環され、更に第２開閉部２１１を通して領域２１３に入り、気流２２２となって領域２１２内を対流する。このとき領域２１２内は、領域２１３よりも温度が低いため、その気流２２２は若干冷却されて気流２２１となって領域２１３に流入する。これにより、図３（Ｂ）の状態で領域２１２で取り込んだ外気の冷風を領域２１３に届けることで、間接的に読取モータ１０２を外気で冷却することが可能となる。
【００３３】
図４（Ｂ）は、実施形態に係る原稿給紙装置が原稿の両面を読み取るために原稿を反転させ、その反転された原稿が読取位置に到達して読み取りが行われるときの状態を示している。
【００３４】
このとき、給紙排紙反転モータ１０１と読取モータ１０２が共に回転駆動されるため、冷却ファン２１４を駆動し、換気ファン２１５は停止したままである。このとき第１開閉部２１０は閉じられ、第２開閉部２１１は開けられたままであるため、領域２１３，２１２で温度が上昇した気流２２２は、第２開閉部２１１を通して領域２１２，２１３内を対流する。
【００３５】
図５（Ａ）は、実施形態に係る原稿給紙装置が原稿の両面の読み取りを終了して、その原稿の排紙を開始したときの状態を示している。
【００３６】
この状態では、読取モータ１０２の回転駆動が停止され、原稿を搬送するために給紙排紙反転モータ１０１だけが駆動される。このときも冷却ファン２１４を駆動し、換気ファン２１５は停止したままである。また第２開閉部２１１は開けられたままで、第１開閉部２１０は閉じられている。
【００３７】
図５（Ｂ）は、実施形態に係る原稿給紙装置が原稿の両面の読み取りを終了して、その原稿の排紙を終了したときの状態を示している。
【００３８】
この状態では、第１開閉部２１０と第２開閉部２１１が共に開けられた状態で、換気ファン２１５を駆動し、冷却ファン２１４は停止したままである。従って、外気流（冷風）２２０は、第２開閉部２１１を通過して領域２１３に入り、領域２１３内の熱い空気は気流２２２となって第１開閉部２１０を通って外に放出される。この状態では、給紙排紙反転モータ１０１と読取モータ１０２はともに回転駆動されていないため、第１開閉部２１０と第２開閉部２１１とが空けられた状態でも外部に騒音が漏れて問題になることはない。
【００３９】
この状態で、給紙排紙反転モータ１０１と読取モータ１０２はともに、外気により急速に冷却される。
【００４０】
図６は、実施形態に係る原稿給紙装置が原稿の読み取り動作を終了したときの状態を示している。
【００４１】
この状態では、第１開閉部２１０と第２開閉部２１１が共に開けられた状態で、換気ファン２１５と冷却ファン２１４は停止したままである。
【００４２】
図７は、実施形態に係る原稿給紙装置が原稿の両面読み取りを行うときのモータ、ファン、開閉部の動作を説明するタイミング図である。図７（Ａ）は１枚目の原稿を読み取るときのタイミングを示し、図７（Ｂ）は１枚目以降の原稿を読み取るときのタイミングを示している。
【００４３】
また図８は、実施形態に係る原稿給紙装置が原稿の片面読み取りを行うときのモータ、ファン、開閉部の動作を説明するタイミング図である。図８（Ａ）は１枚目の原稿を読み取るときのタイミングを示し、図８（Ｂ）は１枚目以降の原稿を読み取るときのタイミングを示している。
【００４４】
図９は、実施形態に係る原稿給紙装置による原稿の読み取り処理を説明するフローチャートである。尚、この処理は、ＣＰＵ１１０がＲＯＭ１１２に記憶されているプログラムを実行することにより達成される。
【００４５】
まずＳ９０１でＣＰＵ１１０は、オペレータの指示或いはジョブの投入などにより、原稿の読み取り指示を受付ける。そしてＳ９０２に進みＣＰＵ１１０は、給紙排紙反転モータ１０１と読取モータ１０２の回転を停止し、換気ファン２１５を駆動し、冷却ファン２１４の駆動は停止した状態にする。そして第１開閉部２１０と第２開閉部２１１はともに開放した状態にする。これは図２（Ａ）の状態に相当する。
【００４６】
次にＳ９０３に進みＣＰＵ１１０は、原稿の給紙を開始する。これによりＳ９０４に進みＣＰＵ１１０は、読取モータ１０２の回転を停止したままで、給紙排紙反転モータ１０１を回転させて原稿の給紙を行う。そして第１開閉部２１０を閉じて第２開閉部２１１を開放した状態にし、換気ファン２１５を停止し、冷却ファン２１４の駆動を開始する。これは図２（Ｂ）の状態に相当する。
【００４７】
そしてＳ９０５で原稿が読取位置に到達するとＳ９０６に進み、ＣＰＵ１１０は、給紙排紙反転モータ１０１と読取モータ１０２とを回転駆動し、換気ファン２１５を停止したままで冷却ファン２１４を駆動した状態にする。そして第１開閉部２１０を閉じたままで、第２開閉部２１１は開放した状態にする。これは図３（Ａ）の状態に相当する。
【００４８】
そしてＳ９０７で、その給紙した原稿の読み取りを開始する。そしてＳ９０８でＣＰＵ１１０は、給紙排紙反転モータ１０１の回転を停止し、読取モータ１０２を回転駆動して読み取り、換気ファン２１５と冷却ファン２１４をともに駆動した状態にする。そして第１開閉部２１０を開放して、第２開閉部２１１は閉じた状態にする。これは図３（Ｂ）の状態に相当する。
【００４９】
こうして原稿の第１面の読み取りが終了するとＳ９０９に進み、原稿の両面読み取りかどうか判定する。両面読取でない場合はＳ９１２に進み、両面読み取りの場合はＳ９１０に進む。Ｓ９１０でＣＰＵ１１０は、その原稿の反転処理を開始してＳ９１１に進む。Ｓ９１１でＣＰＵ１１０は、給紙排紙反転モータ１０１と読取モータ１０２とを回転駆動し、換気ファン２１５を停止して冷却ファン２１４を駆動した状態にする。そして第１開閉部２１０を閉じたままで、第２開閉部２１１は開放した状態にする。これは図４（Ａ）の状態に相当する。そしてＳ９１２に進む。
【００５０】
Ｓ９１２でＣＰＵ１１０は、トレイに次の原稿があるかどうか判定し、あればＳ９１３に進んで、次の原稿の読み取り開始信号を待ってＳ９１４に進む。Ｓ９１４でＣＰＵ１１０は、次の原稿の給紙と、先の読み取った原稿の排紙処理とを並行して開始する。そしてＳ９１５に進みＣＰＵ１１０は、給紙排紙反転モータ１０１と読取モータ１０２とを回転駆動し、換気ファン２１５を停止して冷却ファン２１４を駆動した状態にする。そして第１開閉部２１０を閉じたままで、第２開閉部２１１は開放した状態にする。これは図４（Ｂ）の状態に相当する。そしてＳ９１６に進み、次の原稿の給紙と、先に読み取った原稿の排紙処理とが終了するとＳ９０８に進み、先述したようにして、その給紙した原稿の読み取りを行う。
【００５１】
そしてＳ９１２でＣＰＵ１１０が、トレイに原稿がなくなったと判定するとＳ９１７に進み、原稿を読み取って排紙位置に給送する処理を行う。Ｓ９１８でＣＰＵ１１０は、給紙排紙反転モータ１０１と読取モータ１０２とを回転駆動し、換気ファン２１５を停止して冷却ファン２１４を駆動した状態にする。そして第１開閉部２１０を閉じたままで、第２開閉部２１１は開放した状態にする。これは図４（Ｂ）の状態に相当する。そしてＳ９１９に進みＣＰＵ１１０は、読み取った原稿の排紙処理を開始する。次にＳ９２０に進みＣＰＵ１１０は、読取モータ１０２の駆動を停止して、給紙排紙反転モータ１０１を回転駆動して原稿を搬送し、換気ファン２１５を停止して冷却ファン２１４を駆動した状態にする。そして第１開閉部２１０を閉じたままで第２開閉部２１１は開放した状態にする。これは図５（Ａ）の状態に相当する。
【００５２】
そしてＳ９２１で排紙が終了するとＳ９２２に進みＣＰＵ１１０は、給紙排紙反転モータ１０１と読取モータ１０２の回転を停止し、換気ファン２１５を駆動し、冷却ファン２１４の駆動は停止した状態にする。そして第１開閉部２１０と第２開閉部２１１はともに開放した状態にする。これは図５（Ｂ）の状態に相当する。そしてＳ９２３で読み取り動作を終了するとＳ９２４に進み、給紙排紙反転モータ１０１と読取モータ１０２の回転を停止したままで換気ファン２１５と冷却ファン２１４の駆動は停止した状態にする。そして第１開閉部２１０と第２開閉部２１１はともに閉じた状態にする。
【００５３】
以上説明したように本実施形態によれば、モータ駆動時の騒音が外部に漏れるのを低減しつつ、モータを冷却することができる。
【００５４】
また、本実施形態によらず様々な形でも可能である。冷却対象のモータが筐体内部にあり、かつ冷却対象の領域が、前室のような領域（領域２１２）を挟んで外気を取り入れる構成が少なくとも備わっており、騒音が漏れないようなタイミングで開口部を開閉するものであればよい。
【符号の説明】
【００５５】
１０１…給排紙反転モータ、１０２…読取モータ、１０３…換気ファンモータ、１０４…冷却ファンモータ、１０５…メインコントローラ、２１０…第１開閉部、２１１…第２開閉部、２１４…冷却ファン、２１５…換気ファン
【図１】
2018037985.tif 000003
【図２】
2018037985.tif 000004
【図３】
2018037985.tif 000005
【図４】
2018037985.tif 000006
【図５】
2018037985.tif 000007
【図６】
2018037985.tif 000008
【図７】
2018037985.tif 000009
【図８】
2018037985.tif 000010
【図９】
2018037985.tif 000011